(57)【要約】【課題】地震が発生により貯水槽全体が揺れ、その結果、支柱の下端が固定された底板が亀裂・座屈する危険性を有効に防止することができる新規な耐震性貯水槽を提供する。【解決手段】底板２１と、この底板２１から起立した状態で配置された側壁２，３，４，５と、上記底板２１に対向する天井６と、上記底板２１から起立してなる複数の支柱２３，２４と、を備え、上記支柱２３，２４は、該支柱２３，２４の下端側が上記底板２１の平面視においてＸ方向及びＹ方向に移動することを規制する移動規制部材２５，２６に載置されてなる。【選択図】  図９
2020094355.tif 000002
【特許請求の範囲】
【請求項１】
底板と、この底板から起立した状態で配置された側壁と、上記底板に対向する天井と、上記底板から起立してなる複数の支柱と、を備え、
上記支柱は、該支柱の下端側が上記底板の平面視においてＸ方向及びＹ方向に移動することを規制する移動規制部材に載置されてなることを特徴とする耐震性貯水槽。
【請求項２】
底板と、この底板から起立した状態で配置された側壁と、上記底板に対向する天井と、上記底板から起立してなる複数の支柱と、を備え、
上記支柱は、上記底板の上面に固定された移動規制部材により、該支柱が該底板の平面視においてＸ方向及びＹ方向に移動することが規制された状態で該底板の上面に載置されなることを特徴とする耐震性貯水槽。
【請求項３】
前記支柱は、前記側壁と離間して配置され前記天井を支持してなるとともに少なくとも下面には凹部が形成された中柱であり、
前記移動規制部材は、下面が前記底板の上面に固定されたベース板部と、このベース板部から起立してなる移動規制部と、を備え、
上記中柱の下端は、上記ベース板上に当接し、上記凹部内には、上記移動規制部が挿入されてなることを特徴とする請求項１記載の耐震性貯水槽。
【請求項４】
前記支柱は、前記側壁と離間して配置され前記天井を支持してなるとともに少なくとも下面には凹部が形成された中柱であり、
前記移動規制部材は、下面が前記底板の上面に固定されてなり、
上記中柱の下端は、前記底板の上面に当接され、上記移動規制部材は、上記凹部内に挿入されてなることを特徴とする請求項２記載の耐震性貯水槽。
【請求項５】
前記支柱は、前記側壁に固定され鉛直方向に長さを有する第１の柱板部と、この第１の柱板部の一側から折曲されてなる第２の柱板部と、を備えた側柱であり、
前記移動規制部材は、前記底板の上面に固定されるベース板部と、このベース板部から起立してなる起立板部と、を備え、
上記起立板部には、上記第１の柱板部又は第２の柱板部の下端側の何れかが挿入されるスリットが形成されてなることを特徴とする請求項１記載の耐震性貯水槽。
【請求項６】
前記支柱は、前記側壁に固定され鉛直方向に長さを有する第１の柱板部と、この第１の柱板部の一側から折曲されてなる第２の柱板部と、を備えた側柱であり、
上記第１又は第２の柱板部の何れかには、該第１又は第２の柱板部の下端から上方に向かってスリットが形成され、
前記移動規制部材は、前記底板の上面に固定されるベース板部と、このベース板部から起立してなる起立板部と、を備え、
上記スリットには、上記起立板部が挿入されてなることを特徴とする請求項１記載の耐震性貯水槽。
【請求項７】
前記支柱は、前記側壁と離間して配置され前記天井を支持してなるともに中空状に成形された複数の中柱と、前記側壁に固定され鉛直方向に長さを有する第１の柱板部及びこの第１の柱板部の一側から折曲されてなる第２の柱板部とを備えた側柱であり、
上記中柱及び側柱は、該中柱又は側柱の下端側が上記底板の平面視においてＸ方向及びＹ方向に移動することを規制する移動規制部材にそれぞれ載置されてなるとともに、
上記それぞれの側柱同士は、複数の補強用アングル材により互いに連結されてなり、これらの補強用アングル材の内の複数の補強用アングル材の中途部は、上記中柱の中途部に連結されてなることを特徴とする請求項１記載の耐震性貯水槽。
【発明の詳細な説明】
【技術分野】
【０００１】
本発明は、浄水場から送られた浄水を一時的に貯留し、需要量に応じて流出される機能を備えた配水池とも称される耐震性貯水槽に関し、特に、内部に複数の支柱が起立してなる耐震性貯水槽に関するものである。
【背景技術】
【０００２】
これまで、貯水槽としては、その設置場所や用途又は機能等に応じて様々な形状や構造に係るものが提案され施工されている。例えば、特開２００６−３６２４５号公報（特許文献１）や特開２００１−１７１７８７号公報（特許文献２）には、貯水槽の内部の補強構造として、複数本の支柱又は補強支柱が立設され、これらの支柱の下端は底板に溶接されている。なお、上記特許文献２に開示された補強支柱は、互いに隣り合う各側壁パネルのフランジ部間に立設されたものである。また、特開２００２−３６２６８２号公報（特許文献３）も貯水槽内部の補強構造に係るものであり、貯水槽の内部の中央に立設された支柱が配置され、この支柱の下端も底壁に固定されている。
【先行技術文献】
【特許文献】
【０００３】
【特許文献１】特開２００６−  ３６２４５号公報
【特許文献２】特開２００１−１７１７８７号公報
【特許文献３】特開２００２−３６２６８２号公報
【発明の概要】
【発明が解決しようとする課題】
【０００４】
上記特許文献１，２，３は、何れも貯水槽内部を補強することを目的としたものであるが、こうした補強構造が採用された貯水槽では、地震により貯水槽全体が振動した場合においては、該貯水槽の耐震補強性能としては十分ではない。特に、貯水槽は、建築物のような他の構造物とは異なり、貯水槽全体の重量に対して、貯水されている液体の重量の割合が相当高く、地震の発生（とりわけ長周期振動の発生）によって貯水槽内部の液体が大きく又不規則に揺れ、こうした液体の揺れにより、貯水槽内部に立設された支柱の変位により、該支柱の下端が固定された底板が亀裂・座屈する場合が多い。換言すれば、上記特許文献１，２，３で開示され内部補強構造では、地震の発生に伴う液体の揺れにより、貯水槽全体が揺れ、その結果、支柱の下端が固定された底板が亀裂・座屈する危険性を防止することができない。
【０００５】
そこで、本発明は、上述した従来の貯水槽が有する課題を解決するために提案されたものであって、地震が発生により貯水槽全体が揺れ、その結果、支柱の下端が固定された底板が亀裂・座屈する危険性を有効に防止することができる新規な耐震性貯水槽を提供することを目的とするものである。
【課題を解決するための手段】
【０００６】
本発明は、上記課題を解決するために提案されたものであって、第１の発明（請求項１記載の発明）は、底板と、この底板から起立した状態で配置された側壁と、上記底板に対向する天井と、上記底板から起立してなる複数の支柱と、を備え、上記支柱は、該支柱の下端側が上記底板の平面視においてＸ方向及びＹ方向に移動することを規制する移動規制部材に載置されてなることを特徴とするものである。
【０００７】
この第１の発明に係る耐震性貯水槽では、上記支柱は、該支柱の下端側が上記底板の平面視においてＸ方向及びＹ方向に移動することを規制する移動規制部材に載置されている。したがって、支柱の下端は、上記底板の上面に固定されていないことは勿論、上記移動規制部材にも固定されていない。したがって、この耐震性貯水槽では、地震の発生により、又は地震動に伴う液体の揺れにより貯水槽全体が揺れ、その結果、それぞれの支柱が傾斜した場合であっても、各支柱は底板に固定されていないことから、該底板が亀裂・座屈する等の危険性を有効に防止することができる。
【０００８】
なお、本発明に係る耐震性貯水槽は、少なくとも、底板と、この底板から起立した状態で配置された側壁と、上記底板に対向する天井と、上記底板から起立してなる複数の支柱と、を備えたものであれば、その全体の形状は特に限定されず、全体の外形形状が、例えば、直方体状、立方体状、円柱状等であっても良い。また、上記側壁の構造は、隣り合う複数の側パネルが互いに固定されたものであっても良い。また、本発明を構成する移動規制部材は、少なくとも、支柱の下端側が載置され、上記底板の平面視においてＸ方向及びＹ方向に該支柱が移動することを規制するものであれば、その形状や構造は特に限定されるものではない。
【０００９】
また、第２の発明（請求項２記載の発明）は、底板と、この底板から起立した状態で配置された側壁と、上記底板に対向する天井と、上記底板から起立してなる複数の支柱と、を備え、上記支柱は、上記底板の上面に固定された移動規制部材により、該支柱が該底板の平面視においてＸ方向及びＹ方向に移動することが規制された状態で該底板の上面に載置されなることを特徴とするものである。
【００１０】
この第２の発明に係る耐震性貯水槽では、底板の平面視においてＸ方向及びＹ方向に支柱の移動を規制する移動規制部材が、該底板の上面に固定されているとともに、該移動規制部材により移動が規制される支柱は、底板の上面に載置されている。したがって、この第２の発明に係る耐震性貯水槽においても、上記第１の発明と同じように、地震が発生した場合、それぞれの支柱は、上記移動規制部材により、底板の平面視においてＸ方向及びＹ方向に移動することがなく、また、上記地震の発生により、又は地震動に伴う液体の揺れにより貯水槽全体が揺れ、その結果、それぞれの支柱が傾斜した場合であっても、各支柱は底板に固定されていないことから、該底板が亀裂・座屈する等の危険性を有効に防止することができる。
【００１１】
また、第３の発明（請求項３記載の発明）は、上記第１の発明において、前記支柱は、前記側壁と離間して配置され前記天井を支持してなるとともに少なくとも下面には凹部が形成された中柱であり、前記移動規制部材は、下面が前記底板の上面に固定されたベース板部と、このベース板部から起立してなる移動規制部と、を備え、上記中柱の下端は、上記ベース板上に当接し、上記凹部内には、上記移動規制部が挿入されてなることを特徴とするものである。
【００１２】
この第３の発明に係る耐震性貯水槽では、前記移動規制部材により移動が規制される支柱は、前記側壁と離間して配置され前記天井を支持してなるとともに少なくとも下面には凹部が形成された中柱である。そして、この中柱の移動を規制する移動規制部材は、下面が前記底板の上面に固定されたベース板部と、このベース板部から起立してなる移動規制部と、を備えており、上記中柱の下端は、上記ベース板上に当接し、上記凹部内には、上記移動規制部が挿入されている。したがって、この第３の発明に係る耐震性貯水槽では、地震が発生し、それぞれの支柱である中柱に対して、底板の平面視においてＸ方向及びＹ方向の双方に移動する力が作用した場合であっても、上記移動規制部材を構成する移動規制部の側面と上記凹部を形成する中柱との係合により、該中柱の移動は規制される一方、上記地震の発生により、又は地震動に伴う液体の揺れにより貯水槽全体が揺れ、その結果、それぞれの中柱が傾斜した場合であっても、各中柱は底板に固定されていないことから、該底板が亀裂・座屈する等の危険性を有効に防止することができる。
【００１３】
なお、支柱である上記中柱は、少なくとも下面に凹部が形成されていれば良く、この中柱全体が中空状に成形されているものであっても良い。また、この中柱は、上記下面に凹部（中柱全体が中空状に成形されたものを含む。）が形成されていれば、その全体形状が円柱状（又は円筒状）、四角柱状等であっても良い。また、上記移動規制部材を構成するベース板部は、上記中柱の先端が当接し得る面積を有するものであれば良いし、また、上記移動規制部の形状も、上記中柱に形成された凹部内に挿入される形状であれば良い。
【００１４】
また、第４の発明（請求項４記載の発明）は、上記第２の発明において、前記支柱は、前記側壁と離間して配置され前記天井を支持してなるとともに少なくとも下面には凹部が形成された中柱であり、前記移動規制部材は、下面が前記底板の上面に固定されてなり、
上記中柱の下端は、前記底板の上面に当接され、上記移動規制部材は、上記凹部内に挿入されてなることを特徴とするものである。
【００１５】
この第４の発明に係る耐震性貯水槽を構成する移動規制部材は、下面が底板に固定され、上記中柱の下端は、上記底板の上面に当接し、上記中柱に形成された凹部内には、上記移動規制部材が挿入されている。したがって、この第４の発明に係る耐震性貯水槽による場合であっても、地震が発生し、それぞれの支柱である中柱に対して、底板の平面視においてＸ方向及びＹ方向の双方に移動する力が作用した場合であっても、上記移動規制部材の側面と上記凹部を形成する中柱との係合により、該中柱の移動は規制される一方、上記地震の発生により、又は地震動に伴う液体の揺れにより貯水槽全体が揺れ、その結果、それぞれの中柱が傾斜した場合であっても、各中柱は底板に固定されていないことから、該底板が亀裂・座屈する等の危険性を有効に防止することができる。
【００１６】
また、第５の発明（請求項５記載の発明）は、上記第１の発明において、前記支柱は、前記側壁に固定され鉛直方向に長さを有する第１の柱板部と、この第１の柱板部の一側から折曲されてなる第２の柱板部と、を備えた側柱であり、前記移動規制部材は、前記底板の上面に固定されるベース板部と、このベース板部から起立してなる起立板部と、を備え、上記起立板部には、上記第１の柱板部又は第２の柱板部の下端側の何れかが挿入されるスリットが形成されてなることを特徴とするものである。
【００１７】
この第５の発明に係る耐震性貯水槽では、支柱は、前記側壁に固定され鉛直方向に長さを有する第１の柱板部と、この第１の柱板部の一側から折曲されてなる第２の柱板部と、を備えた側柱である。また、前記移動規制部材は、前記底板の上面に固定されるベース板部と、このベース板部から起立してなる起立板部と、を備え、上記起立板部には、上記第１の柱板部の下端側又は第２の柱板部の下端側の何れかが挿入されるスリットが形成されている。したがって、この第５の発明に係る耐震性貯水槽では、地震が発生し、それぞれの支柱である側柱に対して、底板の平面視においてＸ方向に移動する力が作用した場合及びＹ方向（Ｘ方向とＹ方向とが合成された方向を含む。）に移動する力が作用した場合であっても、上記側柱を構成する起立板部と、第１の柱板部又は第２の柱板部との何れか一方とが、互いに係合することにより、該側柱の移動は規制され、上記地震の発生により、又は地震動に伴う液体の揺れにより貯水槽全体が揺れ、その結果、それぞれの側柱が傾斜した場合であっても、各中柱は底板に固定されていないことから、該底板が亀裂・座屈する等の危険性を有効に防止することができる。
【００１８】
なお、上記耐震性貯水槽を構成する支柱は、前記側壁に固定され鉛直方向に長さを有する第１の柱板部と、この第１の柱板部の一側から折曲されてなる第２の柱板部と、を備えた側柱であれば良く、これら第１の柱板部と第２の柱板部とが必ず直角に折曲されている必要はなく、該第１の柱板部と第２の柱板部とにより形成される角度は鈍角であっても鋭角であっても良い。
【００１９】
また、第６の発明（請求項６記載の発明）は、上記第１の発明において、前記支柱は、前記側壁に固定され鉛直方向に長さを有する第１の柱板部と、この第１の柱板部の一側から折曲されてなる第２の柱板部と、を備えた側柱であり、上記第１又は第２の柱板部の何れかには、該第１又は第２の柱板部の下端から上方に向かってスリットが形成され、前記移動規制部材は、前記底板の上面に固定されるベース板部と、このベース板部から起立してなる起立板部と、を備え、上記スリットには、上記起立板部が挿入されてなることを特徴とするものである。
【００２０】
この第６の発明に係る耐震性貯水槽では、第５の発明を構成するスリットが上記第１又は第２の柱板部の何れかに形成され、移動規制部材を構成する起立板部が、上記スリットに挿入されたものである。したがって、この第６の発明に係る耐震性貯水槽による場合においても、地震が発生し、それぞれの支柱である側柱に対して、底板の平面視においてＸ方向に移動する力が作用した場合及びＹ方向（Ｘ方向とＹ方向とが合成された方向を含む。）に移動する力が作用した場合であっても、上記側柱を構成する起立板部と、第１の柱板部又は第２の柱板部との何れか一方とが、互いに係合することにより、該側柱の移動は規制され、上記地震の発生により、又は地震動に伴う液体の揺れにより貯水槽全体が揺れ、その結果、それぞれの側柱が傾斜した場合であっても、各中柱は底板に固定されていないことから、該底板が亀裂・座屈する等の危険性を有効に防止することができる。
【００２１】
また、第７の発明（請求項７記載の発明）は、上記第１の発明において、前記支柱は、前記側壁と離間して配置され前記天井を支持してなるともに中空状に成形された複数の中柱と、前記側壁に固定され鉛直方向に長さを有する第１の柱板部及びこの第１の柱板部の一側から折曲されてなる第２の柱板部とを備えた側柱であり、上記中柱及び側柱は、該中柱又は側柱の下端側が上記底板の平面視においてＸ方向及びＹ方向に移動することを規制する移動規制部材にそれぞれ載置されてなるとともに、上記それぞれの側柱同士は、複数の補強用アングル材により互いに連結されてなり、これらの補強用アングル材の内の複数の補強用アングル材の中途部は、上記中柱の中途部に連結されてなることを特徴とするものである。
【００２２】
この第７の発明に係る耐震性貯水槽では、前記支柱は、前記側壁と離間して配置され前記天井を支持してなるともに中空状に成形された複数の中柱と、前記側壁に固定され鉛直方向に長さを有する第１の柱板部及びこの第１の柱板部の一側から折曲されてなる第２の柱板部とを備えた側柱である。換言すれば、この耐震性貯水槽は、支柱として、上記中柱と側柱とを備えている。そして、上記中柱及び側柱は、該中柱又は側柱の下端側が上記底板の平面視においてＸ方向及びＹ方向に移動することを規制する移動規制部材にそれぞれ載置されてなるとともに、上記それぞれの側柱同士は、複数の補強用アングル材により互いに連結され、これらの補強用アングル材の内の複数の補強用アングル材の中途部は、上記中柱の中途部に連結されている。したがって、この第７の発明に係る耐震性貯水槽によれば、地震により中柱や側柱が傾斜した場合であっても、底板が亀裂・座屈する等の危険性を有効に防止することができるばかりではなく、耐震性貯水槽全体の耐震性を向上することができる。
【発明の効果】
【００２３】
本発明に係る耐震性貯水槽によれば、地震が発生した場合であっても、それぞれの支柱又は中柱若しくは側柱は、上記移動規制部材により、底板の平面視においてＸ方向及びＹ方向に移動することがなく、このため、上記地震の発生により、又は地震動に伴う液体の揺れにより貯水槽全体が揺れ、その結果、それぞれの支柱が傾斜した場合であっても、各支柱は底板に固定されておらず、単に上記移動規制部材に載置されているに過ぎないことから、該支柱の傾斜に伴って底板が亀裂・座屈する等の危険性を有効に防止することができる。
【図面の簡単な説明】
【００２４】
【図１】耐震性貯水槽全体の外観を示す斜視図である。
【図２】耐震性貯水槽の内部構造を示す斜視図である。
【図３】図２に示す耐震性貯水槽を構成する各側壁及び天井を取り除いた状態を示す斜視図である。
【図４】金属製パネルを内側から示す斜視図である。
【図５】第１の変位吸収部材の固定状態の要部を示す斜視図である。
【図６】第５ないし第８の変位吸収部材の外観を示す斜視図である。
【図７】第７の変位吸収部材の固定状態の要部を示す斜視図である。
【図８】側柱が側柱用移動規制部材に載置されている状態を示す斜視図である。
【図９】側柱移動規制部材を示す斜視図である。
【図１０】中柱と中柱用移動規制部材とを分離して示す斜視図である。
【図１１】中柱が中柱移動規制部材に載置されている状態を示す斜視図である。
【図１２】他の例に係る中柱と中柱用移動規制部材を分離して示す斜視図である。
【図１３】図１２に示す中柱が底板上に載置されている状態を示す断面図である。
【図１４】他の例に係る側柱移動規制部材に側柱が載置されている状態を示す斜視図である。
【図１５】図１４に示す側柱用移動規制部材を示す斜視図である。
【発明を実施するための最良の形態】
【００２５】
以下、本発明に係る耐震性貯水槽について、図面を参照しながら詳細に説明する。
【００２６】
この実施の形態に係る耐震性貯水槽１は、図１又は図２に示すように、外形形状が直方体状に成形されてなるものであり、長方形状に成形された正面側壁２と、この正面側壁２に対向し該正面側壁２と対称形状に成形された背面側壁３（図２参照）と、正方形状に成形された左側壁４と、この左側壁４に対向し該左側壁４と対称形状に成形された右側壁５と、長方形状に成形された天井６と、を備えている。
【００２７】
そして、上記正面側壁２、背面側壁３、左側壁４、右側壁５及び天井６は、それぞれ図４に示す金属製パネル８が互いに溶接されることにより成形されている。すなわち、上記正面側壁２及び背面側壁３は、上記金属製パネル８がそれぞれ縦４枚、横８枚の径３２枚が互いに固定されてなるものであり、上記左側壁３及び右側壁４は、上記金属製パネル８がそれぞれ縦４枚、横４枚の径１６枚が互いに固定されてなるものであり、また、上記天井６は、該天井６の平面視において、図１に示すように、上記金属製パネル８が、縦４枚、横８枚の径３２枚が互いに固定されてなるものである。なお、以下では、上記正面側壁２、背面側壁３、左側壁４、右側壁５をそれぞれ構成する金属製パネルを、金属製側パネルと記載し、また、天井６を構成する金属製パネルを金属製天井パネルと記載することがある。そして、上記金属製パネル８は、図４に示すように、正方形状に成形されたパネル本体部８ａと、このパネル本体部８ａの左右上下にそれぞれ形成された折曲片８ｂ，８ｃ，８ｄ，８ｅとから構成されている。上記パネル本体部８ａの中央には、外側に膨出した膨出部８ｆが形成され、また、上記折曲片８ｂ，８ｃ，８ｄ，８ｅは、それぞれ内側に折曲されてなるものである。なお、以下では、上記折曲片８ｂ，８ｃ，８ｄ，８ｅの何れかであって、上記正面側壁２、背面側壁３、左側壁４及び右側壁５を構成する金属製パネル８に形成されたものを、壁側折曲片と記載することがあり、また、上記天井６を構成する金属製パネル８に形成されたものを天井側折曲片と記載することがある。
【００２８】
そして、それぞれの金属製パネル８は、図１又は図２に示すように、上下方向及び／又は左右方向に隣り合う上記折曲片８ｂ，８ｃ，８ｄ，８ｅ同士が互いに溶接され、上記正面側壁２、背面側壁３、左側壁４、右側壁５を構成している。また、図１に示すように、上記正面側壁２の上端と上記天井６の正面端との間には、第１の変位吸収部材１１が固定され、上記背面側壁３の上端と天井６の背面端との間には、上記第１の変位吸収部材１１と同一形状に成形された第２の変位吸収部材１２（図３参照）が固定されている。また、上記左側壁４の上端と上記天井６の左端との間には、第３の変位吸収部材１３が固定され、上記右側壁５の上端と上記天井６の右端との間には、第４の変位吸収部材１４（図２又は図３参照）が固定されている。また、上記正面側壁２の左端と上記左側壁３との間には、図１に示すように、第５の変位吸収部材１５が固定され、上記正面側壁２の右端と上記右側壁５との間には、第６の変位吸収部材１６が固定されている。また、上記背面側壁３の左端と上記左側壁４の背面端との間には、第７の変位吸収部材１７（図３参照）が固定され、上記背面側壁３の右端と右側壁５の背面端との間には、第８の変位吸収部材１８が固定されている。
【００２９】
これらの変位吸収部材の内で、上記第１及び第２の変位吸収部材１１，１２は、それぞれ同一形状に成形され、その長さは上記正面側壁２や天井６の長さと略同一の長さに成形されている。図５は、上記第１の変位吸収部材１１の固定状態の要部を示すものであり、同図５に示されるように、この耐震性貯水槽１の表面に露出する変位吸収板部１１ａと、この変位吸収板部１１ａの一側から折曲されてなる一方の折曲片１１ｂと、上記変位吸収板部１１ａの他側から折曲されてなる他方の折曲片１１ｃとを備えている。なお、この実施の形態では、上記変位吸収板部１１ａは、平板状に成形された主平板部１１ｄと、一側は上記一方の折曲片１１ｂに連続し他側は上記主平板部１１ｄに折曲部（符号は省略する。）を介して連続してなる水平板部１１ｅと、一側は上記主平板部１１ｄに折曲部（符号は省略する。）を介して連続し他側は上記他方の折曲片１１ｃに連続してなる垂直板部１１ｆとから構成されている。また、上記一方及び他方の折曲片１１ｂ，１１ｃは、何れも角部側折曲片であり、該一方の折曲片１１ｂは、上記天井６を構成するとともに最も正面側壁２側に固定された８つの金属製天井パネル８に形成された折曲片８ｂ（天井側折曲片８ｂ）に溶接され、また、上記他方の折曲片１１ｃは、上記正面側壁２を構成するとともに最も上端側に固定された８つの金属製側パネル８に形成された折曲片８ｂ（壁側折曲片８ｂ）に溶接されている。
【００３０】
また、上記第２の変位吸収部材１２の形状は、上記第１の変位吸収部材１１の形状と同一であり、上記背面側壁３と天井６との間に固定されている。また、上記第３の変位吸収板部１３と第４の変位吸収板部１４とは、それぞれ同一の形状に成形されてなるものであり、その基本的構成は上記第１及び第２の変位吸収板部１１，１２と同様であって、上記天井６と上記左側壁４との間、又は該天井６の上記右側壁５との間に、上記一方の折曲片や他方の折曲片（それぞれ符号は省略する。）と該天井６を構成する金属製天井パネル８に形成された天井側折曲片又は左側壁４を構成する金属製側パネル８に形成された壁側折曲片若しくは右側壁５を構成する金属製側パネル８に形成された壁側折曲片とが互いに溶接されることにより固定されている。なお、上記第１ないし第４の変位吸収部材１１，１２，１３，１４の両端には、上記変位吸収板部（符号は省略する。）の端部と上記一方及び他方の折曲片(符号は省略する。)の端部とにそれぞれ溶接された側板部（符号は省略する。）が形成されている。
【００３１】
また、図６は、この第７の変位吸収部材１７を含めた上記第５ないし第８の変位吸収部材１５，１６，１７，１８の外観を示す斜視図であり、図７は、背面側壁３と左側壁４との間に固定された上記第７の変位吸収部材１７の固定状態の要部を示すものである。図６に示すように、この耐震性貯水槽１の表面に露出する変位吸収板部１５ａ，１６ａ，１７ａ，１８ａと、この変位吸収板部１５ａ，１６ａ，１７ａ，１８ａの一側から折曲されてなる一方の折曲片１５ｂ，１６ｂ，１７ｂ，１８ｂと、上記変位吸収板部１５ａ，１６ａ，１７ａ，１８ａの他側から折曲されてなる他方の折曲片１５ｃ，１６ｃ，１７ｃ，１８ｃと、を備えている。なお、この実施の形態において、上記変位吸収板部１５ａ，１６ａ，１７ａ，１８ａは、平板状に成形された主平板部１５ｄ，１６ｄ，１７ｄ，１８ｄと、一側は上記一方の折曲片１５ｂ，１６ｂ，１７ｂ，１８ｂに連続し他側は上記主平板部１５ｄ，１６ｄ，１７ｄ，１８ｄに折曲部（符号は省略する。）を介して連続してなる一方の垂直板部１５ｅ，１６ｅ，１７ｅ，１８ｅと、一側は上記主平板部１５ｄ，１６ｄ，１７ｄ，１８ｄに折曲部（符号は省略する。）を介して連続し他側は上記他方の折曲片１５ｃ，１６ｃ，１７ｃ，１８ｃに連続してなる他方の垂直板部１５ｆ，１６ｆ，１７ｆ，１８ｆとから構成されている。なお、これら第５ないし第８の変位吸収部材１５，１６，１７，１８の上端には、それぞれ変位吸収板部１５ａ，１６ａ，１７ａ，１８ａの上端と一方の折曲片１５ｂ，１６ｂ，１７ｂ，１８ｂの上端と、他方の折曲片１５ｃ，１６ｃ，１７ｃ，１８ｃの上端とに固定された天板部１５ｇ，１６ｇ，１７ｇ，１８ｇが形成され、下端には、この天板部１５ｇ，１６ｇ，１７ｇ，１８ｇに対向し、下面は後述する底板２１の上面に溶接される底板部１５ｈ，１６ｈ，１７ｈ，１８ｈが形成されている。
【００３２】
そして、上記正面側壁２の左端と上記左側壁３との間に固定（溶接）された第５の変位吸収部材１５は、該正面側壁２を構成し最も左側に固定された４つの金属製側パネル８を構成する４つの折曲片８ｂ，８ｃ，８ｄ，８ｅの内の何れかの折曲片（壁側折曲片）と上記一方の折曲片１５ｂとが溶接されるとともに、上記左側壁３を構成し最も正面側に固定された４つの金属製側パネル８を構成する４つの折曲片８ｂ，８ｃ，８ｄ，８ｅの内の何れかの折曲片（壁側折曲片）と上記他方の折曲片１５ｃとが溶接された状態で固定されている。また、上記正面側壁２の右端と上記右側壁５との間に固定（溶接）された第６の変位吸収部材１６は、該正面側壁２を構成し最も右側に固定された４つの金属製側パネル８を構成する４つの折曲片８ｂ，８ｃ，８ｄ，８ｅの内の何れかの折曲片（壁側折曲片）と上記一方の折曲片１６ｂとが溶接されるとともに、上記右側壁５を構成し最も正面側に固定された４つの金属製側パネル８を構成する４つの折曲片８ｂ，８ｃ，８ｄ，８ｅの内の何れかの折曲片（壁側折曲片）と上記他方の折曲片１６ｃとが溶接された状態で固定されている。また、上記背面側壁３の左端と上記左側壁４の背面端との間に固定（溶接）された第７の変位吸収部材１７は、図７に示すように、該背面側壁３を構成し最も左側に固定された４つの金属製側パネル８を構成する各折曲片８ｄ（壁側折曲片）と上記他方の折曲片１７ｃとが溶接されるとともに、上記左側壁４を構成し最も背面側に固定された４つの金属製側パネル８を構成する各折曲片８ｅ（壁側折曲片）と上記一方の折曲片１７ｂとが溶接された状態で固定されている。また、上記背面側壁３の右端と右側壁５の背面端との間に固定（溶接）された第８の変位吸収部材１８は、該背面側壁３を構成し最も右側に固定された４つの金属製側パネル８を構成する４つの折曲片８ｂ，８ｃ，８ｄ，８ｅの内の何れかの折曲片（壁側折曲片）と上記一方の折曲片１８ｂとが溶接されるとともに、上記右側壁５を構成し最も背面側に固定された４つの金属製側パネル８を構成する４つの折曲片８ｂ，８ｃ，８ｄ，８ｅの内の何れかの折曲片（壁側折曲片）と上記他方の折曲片１８ｃとが溶接された状態で固定されている。なお、この耐震性貯水槽１を構成する天板６の各角部は、上記第１ないし第４の変位吸収部材１１，１２，１３，１４の何れかの端部と、上記第５ないし第８の変位吸収部材１５，１６，１７，１８の何れかの上端とが互いに固定・溶接される部位であり、これらの部位は、該第１ないし第４の変位吸収部材１１，１２，１３，１４の端部に形成された図示しない側板部と、該第５ないし第８の変位吸収部材１５，１６，１７，１８を構成する上記天板部１５ｇ，１６ｇ，１７ｇ，１８ｇの何れかとが互いに溶接され、この耐震性貯水槽１の密閉性が保持されている。
【００３３】
また、この耐震性貯水槽１を構成する上記正面側壁２、背面側壁３、左側壁４、右側壁５は、図２に示すように、金属製の底板２１の周端近傍から起立してなるものであり、該正面側壁２、背面側壁３、左側壁４、右側壁５を構成する個々の金属製側パネル８の内側には、図２又は図３に示す補強杆２２が固定されている。これらの補強杆２２は、上記金属製パネル８を構成する４つの折曲片８ｂ，８ｃ，８ｄ，８ｅであって鉛直方向に長さを有する折曲片（符号は省略する。）に溶接された部材である。すなわち、これらの補強杆２２は、左右方向に隣り合う金属製側パネル８間に固定（溶接）されており、この実施の形態においては、図３に示すように、背面側壁３の内側には、鉛直方向に４つ直線状に並んで溶接され、この鉛直方向に直線状に並んだ補強杆２２群が水平方向に６つ並んで溶接されている。なお、正面側壁２の内側にも、上記背面側壁３に固定された数と同一の数の補強杆２２が溶接されている。また、上記左側壁４及び右側壁５の内側には、それぞれの金属製側パネル８の間に上記補強杆２２が溶接されているとともに、該左側壁４や右側壁５を構成し最も正面側に固定された金属製側パネル８の正面側にも該補強杆２２が溶接されていることから、それぞれ計４つの補強杆２２が水平方向に平行に溶接されており、鉛直方向には４つ補強杆２２が溶接されている。換言すれば、上記左側壁４及び右側壁５の内側には、鉛直方向及び水平方向に、全部で１６個の補強杆２２が溶接されている。
【００３４】
そして、上記底板２１上には、図３に示すように、２個の中柱２３と、２０個の側柱２４とが立設されている。そして、上記中柱２３及び側柱２４は、図８又は図１１に示すように、鉛直方向に長さを有する第１の柱板部２３ａ，２４ａと、この第１の柱板部２３ａ，２４ａの一側から折曲されてなる第２の柱板部２３ｂ，２４ｂと、を備えたものである。そして、上記それぞれの側柱２４は、上記第１の柱板部２４ａが上記各補強杆２２に溶接されているとともに、それぞれの側柱２４は、下面が上記底板２１の上面に溶接された側柱用移動規制部材２５に載置されている。この側柱用移動規制部材２５は、図９に示すように、長方形状に成形されたベース板部２５ａと、このベース板部２５ａの一側から起立してなる起立板部２５ｂと、該ベース板部２５ａから起立板部２５ｂに亘って固定された補強リブ２５ｃとから構成されており、上記起立板部２５ｂには、その上端から下方に亘って形成されたスリット２５ｄが形成されている。そして、上記それぞれの側柱２４は、図８に示すように、該側柱２４を構成する上記第１の柱板部２４ａの下端側が上記スリット２５ｄに挿入されることにより、この側柱用移動規制部材２５に載置されている。なお、このように、側柱２４を構成する上記第１の柱板部２４ａの下端側が上記スリット２５ｄに挿入された際には、該側柱２４を構成する第２の柱板部２４ｂの下端側は、側柱用移動規制部材２５を構成する起立板部２５ｂに対向する。したがって、この側柱用移動規制部材２５により支持されたそれぞれの側柱２４は、底板２１の平面視において、Ｘ方向及びＹ方向に移動することが規制されている。
【００３５】
一方、上記それぞれの中柱２３は、図１０又は図１１に示すように、下面が上記底板２１の上面に溶接された中柱用移動規制部材２６に載置されている。この中柱用移動規制部材２６は、図１０に示すように、底板２１の上面に溶接される方形状のベース板部２６ａと、このベース板部２６ａの中央から上方に起立してなる移動規制部２６ｂと、を備えている。上記ベース板部２６ａの上面は、上記中柱２３を構成する第１及び第２の柱板部２３ａ，２３ｂの下端が当接する部位である。一方、この実施の形態において、上記中柱２３の下端には、上記第１の柱板部２３ａ及び第２の柱板部２３ｂに加えて、上記移動規制部２６ｂが挿入されるボックス部２３ｃが形成されている。このボックス部２３ｃは、上記第１の柱板部２３ａの下端側と、この第１の柱板部２３ａの下端側に対向する第１の対向板部２３ｄと、上記第２の柱板部２３ｂの下端側と、この第２の柱板部２３ｂの下端側に対向する第２の対向板部２３ｅと、これら第１及び第２の柱板部２３ａ，２３ｂの下端側と、上記第１及び第２の対向板部２３ｄ，２３ｅにより囲まれた空間を閉塞する天板部２３ｆとから構成されている。したがって、上記中柱２３が、図１１に示すように、第１及び第２の柱板部２３ａ，２３ｂの下端と上記ボックス部２３ｃを構成する第１及び第２の対向板部２３ｄ，２３ｅの下端とが、上記ベース板部２６ａの上面に当接されて上記中柱用移動規制部材２６に天井６の荷重が支持されると、該中柱２３は、上記底板２１の平面視において、Ｘ方向及びＹ方向（並びにこれらの方向の合成方向）に移動することが規制される。
【００３６】
また、この実施の形態に係る耐震性貯水槽１では、図２又は図３に示すように、上記底板２１の上方には、第１の補強アングル材３１と第２の補強アングル材３２が溶接されている。上記第１及び第２の補強アングル材３１，３２は、それぞれ断面Ｌ字状に成形されてなるものであり、上記第１の補強アングル材３１は、上記正面側壁２や背面側壁３の長さ方向に沿って固定されてなるものであり、上記第２の補強アングル材３２は、上記天井６の長さ方向とは直交する方向に長さを有するものである。そして、上記第１の補強アングル材３１は、図３に示すように、一端は上記左側壁４の内側に固定された側柱２４の上端側中途部（左側壁４を構成する下から２番目に固定された金属製側パネル８と３番目に固定された金属製側パネル８との間）に溶接され、他端は上記右側壁５の内側に溶接された側柱２４の上端側中途部（右側壁５を構成する下から２番目に固定された金属製側パネル８と３番目に固定された金属製側パネル８との間）に溶接されている。すなわち、この第１の補強アングル材３１は、全部で４本それぞれ水平方向に平行に固定されている。そして、これら４本の第１の補強アングル材３１の一部（正面側から２本面の補強アングル材３１）の中途部は、上記各中柱２３に溶接されている。また、上記第２の補強アングル材３２は、一端は上記正面側壁２の内側に固定された図示しない側柱２４の上端側中途部（正面側壁２を構成する下から２番目に固定された金属製側パネル８と３番目に固定された金属製側パネル８との間）に溶接され、他端は上記背面側壁３の内側に溶接された側柱２４の上端側中途部（背面側壁３を構成する下から２番目に固定された金属製側パネル８と３番目に固定された金属製側パネル８との間）に溶接されている。すなわち、この第２の補強アングル材３２は、全部で６本それぞれ水平方向に平行に固定されている。そして、これら４本の第２の補強アングル材３２の一部（左側壁４側から３本目の補強アングル材３２と、５番目の補強アングル材３２）の中途部は、上記それぞれの中柱２３に溶接されている。
【００３７】
なお、本実施の形態においては、上記第１及び第２の補強アングル材３１，３２の上方には、該第１の補強アングル材３１のそれぞれと平行に第１の小型補強アングル材３３が４本固定され、また、第２の補強アングル材３２のそれぞれと平行に第２の小型補強アングル材３４が固定されている。これら第１の（４本）の小型補強アングル材３３は、一端が上記左側壁４の内側に固定された補強杆２２の中途部（左側壁４を構成する下から３番目に固定された金属製側パネル８と４番目に固定された金属製側パネル８との間）に溶接され、他端は上記右側壁５の内側に固定された補強杆２２の中途部（右側壁５を構成する下から３番目に固定された金属製側パネル８と４番目に固定された金属製側パネル８との間）に溶接されている。また、上記第２の小型補強アングル材３４は、一端が上記正面側壁２の内側に固定された図示しない補強杆２２の中途部（正面壁２を構成する下から３番目に固定された金属製側パネル８と４番目に固定された金属製側パネル８との間）に溶接され、他端は上記背面側壁３の内側に固定された補強杆２２の中途部（背面側壁３を構成する下から３番目に固定された金属製側パネル８と４番目に固定された金属製側パネル８との間）に溶接されている。そして、上記第１の小型補強アングル材３３（４本）の内で、正面側から背面側にかけて２本目の第１の小型補強アングル材３３の中途部は、上記各中柱２３に溶接されており、上記第２の小型補強アングル材３４（６本）の内で、左側から右側にかけて３本目の第２の小型補強アングル材３４と５番目の第２の小型補強アングル材３４）の中途部は、上記各中柱２３に溶接されている。
【００３８】
またさらに、この実施の形態では、上記第１の小型補強アングル材３３の上方には、該第１の小型補強アングル材３３のそれぞれと平行に第１の天井側補強アングル材３５が４本固定され、また、上記第２の小型補強アングル材３４の上方には、該第２の小型補強アングル材３４のそれぞれと平行に第２の天井側補強アングル材３６が固定されている。これら第１の（４本）の天井側補強アングル材３５は、一端が上記左側壁４の内側に固定された補強杆２２の中途部（左側壁４を構成する最上段に固定された金属製側パネル８に固定された補強杆２２の上端側中途部）に溶接され、他端は上記右側壁５の内側に固定された補強杆２２の中途部（右側壁５を構成する最上段に固定された金属製側パネル８に固定された補強杆２２の上端側中途部）に溶接されている。また、上記第２の天井側補強アングル材３６は、一端が上記正面側壁２の内側に固定された図示しない補強杆２２の中途部（正面側壁２を構成する最上段に固定された金属製側パネル８に固定された補強杆２２の上端側中途部）に溶接され、他端は上記背面側壁３の内側に固定された補強杆２２の中途部（背面側壁３を構成する最上段に固定された金属製側パネル８に固定された補強杆２２の上端側中途部）に溶接されている。そして、上記第１の天井側補強アングル材３５（４本）の内で、正面側から背面側にかけて２本目の第１の天井側補強アングル材３５）の中途部は、上記各中柱２３に溶接されており、上記第２の天井側補強アングル材３６（６本）の内で、左側から右側にかけて３本目の第２の天井側補強アングル材３６と５番目の第２の天井側補強アングル材３６）の中途部は、上記各中柱２３に溶接されている。なお、これら第１及び第２の天井側補強アングル３５，３６の上端には、所定間隔を隔てて図１に示す天井６（該天井６を構成する個々の金属製天井パネル８）を支持する天井支持部材３７がそれぞれ立設されている。
【００３９】
したがって、上述した実施の形態に係る耐震性貯水槽１では、上記各中柱２３は上記中柱用移動規制部材２６により、また、上記各側柱２４は上記側柱用移動規制部材２５により載置・支持されていることから、地震が発生した場合であっても、それぞれ底板２１の平面視において、Ｘ方向及びＹ方向に移動することがない。また、上記地震の発生により、又は地震動に伴う液体の揺れにより貯水槽全体が揺れ、その結果、それぞれの中柱２３又は側柱２４が傾斜した場合であっても、各中柱２３又は側柱２４は、何れも上記底板２１に固定されていないことから、該底板２１が亀裂・座屈する等の危険性を有効に防止することができる。
【００４０】
さらに、この実施の形態に係る耐震性貯水槽１では、上記中柱２３や側柱２４は、上記第１及び第２の補強アングル材３１，３２の一部に固定されているばかりか、上記第１及び第２の小型補強アングル材３３，３４の一部に固定され、加えて、上記第１及び第２の天井側補強アングル材３５，３６の一部にも固定されていることから、耐震性貯水槽１全体の耐震性を一層向上することができる。
【００４１】
なお、上記実施の形態に係る耐震性貯水槽１では、上記中柱２３が載置・支持される中柱用移動規制部材２６を、図１０又は図１１を示して説明したが、これらの図面に示したもの以外に、例えば、図１２に示すように、下面が上記底板２１の上面に固定され略直方体状に成形された中柱用移動規制部材４６とするとともに、各中柱を図１２又は図１３に示すように、各角管状（パイプ状）に成形した中柱４７とし、上記中柱用移動規制部材４６が該中柱４７の下端側から挿入されたものとしても良い。この際、上記中柱４７の下端は、上記底板２１上に当接される。こうした中柱用移動規制部材４６を底板２１上に固定した場合であっても、上記中柱用移動規制部材２６を固定した場合と同じ作用効果を奏することができる。また、上記中柱４７を図示しない円筒状に成形し、上記中柱用移動規制部材を、該中柱４７内に下端から挿入される円柱状に成形しても良い。
【００４２】
また、上記実施の形態に係る耐震性貯水槽１では、上記側柱２４が載置・支持される側柱用移動規制部材２５を、図８又は図９を示して説明したが、これらの図面に示したもの以外に、例えば図１４又は図１５に示す側柱用移動規制部材４５としても良い。この側柱用移動規制部材４５は、図１５に示すように、長方形状に成形されたベース板部４５ａと、このベース板部４５ａの上面から起立してなる第１の起立板部４５ｂと、該ベース板部４５ａから起立してなるとともに一端は上記第１の起立板部４５ｂの一端・一側から折曲されてなる第２の起立板部４５ｃとを備えている。上記第１及び第２の起立板部４５ｂ，４５ｃの高さは同一のものとされているとともに、該第１の起立板部４５ｂには、該第１の起立板部４５ｂの上端から下方に向かって長さを有する第１のスリット４５ｄが形成され、上記第２の起立板部４５ｃには、該第２の起立板部４５ｃの上端から下方に向かって長さを有する第２のスリット４５ｅが形成されている。そして、これら第１のスリット４５ｄと第２のスリット４５ｅの長さは同一とされており、該第１のスリット４５ｄは、図１４に示すように、上記側柱２４を構成する上記第１の柱板部２４ａの下端側が挿入される部位であり、上記第２のスリット４５ｅは、上記側柱２４を構成する上記第２の柱板部２４ｂの下端側が挿入される部位である。すなわち、こうした構成に係る側柱用移動規制部材４５にそれぞれの側柱２４を載置・支持した場合であっても、地震が発生した場合においては、それぞれ底板２１の平面視において、Ｘ方向及びＹ方向にそれぞれの側柱２４が移動することがないばかりではなく、上記地震の発生により、又は地震動に伴う液体の揺れにより貯水槽全体が揺れ、その結果、それぞれの側柱２４が傾斜した場合であっても、各側柱２４は、何れも上記底板２１に固定されていないことから、該底板２１が亀裂・座屈する等の危険性を有効に防止することができる。
【符号の説明】
【００４３】
１  耐震性貯水槽
２  正面側壁
３  背面側壁
４  左側壁
５  右側壁
６  天井
８  金属製パネル（金属製側パネル、金属製天井パネル）
８ｂ，８ｃ，８ｄ，８ｅ  折曲片（壁側折曲片、天井側折曲片）
２１  底板
２３  中柱
２４  側柱
２４ａ  第１の柱板部
２４ｂ  第２の柱板部
２５  側柱用移動規制部材
２５ａ  ベース板部
２５ｂ  起立板部
２５ｄ  スリット
２６  中柱用移動規制部材
２６ａ  ベース板部
２６ｂ  移動規制部
３１  第１の補強アングル材
３２  第２の補強アングル材
４５  側柱用移動規制部材
４５ａ  ベース板部
４５ｂ  第１の起立板部
４５ｃ  第２の起立板部
４５ｄ  第１のスリット
４５ｅ  第２のスリット
４６  中柱用移動規制部材
【図１】
2020094355.tif 000003
【図２】
2020094355.tif 000004
【図３】
2020094355.tif 000005
【図４】
2020094355.tif 000006
【図５】
2020094355.tif 000007
【図６】
2020094355.tif 000008
【図７】
2020094355.tif 000009
【図８】
2020094355.tif 000010
【図９】
2020094355.tif 000011
【図１０】
2020094355.tif 000012
【図１１】
2020094355.tif 000013
【図１２】
2020094355.tif 000014
【図１３】
2020094355.tif 000015
【図１４】
2020094355.tif 000016
【図１５】
2020094355.tif 000017